(57)【要約】【課題】  パチスロ機における電源ユニットの放熱を効果的に行う。【解決手段】    遊技者から見て前面が開口され、該開口を開閉可能に前面扉Ｓ２が支持された金属製の本体部Ｓ１と、本体部Ｓ１の内部において本体部Ｓ１の底面と離間するとともに、本体部Ｓ１の側面及び裏面に固定して設置された電源用ハウジング４７と、電源用ハウジング４７内に収納され、機器への電源供給を行う電源ユニット４８とが備えられている。【選択図】    図８
2005118539.tif 000002
【特許請求の範囲】
【請求項１】
遊技者から見て前面が開口され、該開口を開閉可能に前面扉が支持された金属製の箱体と、
前記箱体の内部において該箱体の底面と離間するとともに、該箱体の側面及び裏面に固定して設置された電源用ハウジングと、
前記電源用ハウジング内に収納され、機器への電源供給を行う電源ユニットとを備えることを特徴とする遊技機。
【請求項２】
前記箱体の下方から内方に向けて突出された平坦な面を有する突出面部が備えられており、
前記電源用ハウジングは、その底板の一部が前記突出面部に当接した状態で、前記箱体の側面及び裏面に固定して設置されていることを特徴とする請求項１に記載の遊技機。
【発明の詳細な説明】
【技術分野】
【０００１】
本発明は、遊技機に設けられた電源ユニットに関するものである。
【背景技術】
【０００２】
近年において、たとえばパチスロ機などの遊技機では、筐体内部に多数の電子部品が配置されており、マイコン制御との組み合わせにより多彩且つ奥深い遊技性を具備している（例えば、特許文献１）。そして、電子部品から熱が発生することから、当該熱による誤作動が発生しないようにするために、電子部品が発した熱を効率的に拡散させることが必要となる。具体的には、特に発熱量の電源ユニットを収容する電源用ハウジングは、その上面板に貫通孔を有しており、電源ユニットから発生した熱を効率良く拡散している。
【特許文献１】特公平０３−７２３１３号公報
【発明の開示】
【発明が解決しようとする課題】
【０００３】
しかしながら、電源ユニットが遊技機の下面板に取り付けられているため、電源ユニットから放出された熱は、下面板から放出されずに、上面板又は側面板に形成された貫通孔からしか放出されないため、効率的な熱の拡散ができないという問題点が生じていた。
【０００４】
また、電源ユニットは変圧器などを備えており、他のユニットに比べて重量が重い。このため、特に搬送時において筐体自体が電源ユニットの重量により歪んでしまうという問題点も生じていた。
【０００５】
そこで、本発明は以上の点に鑑みてなされたものであり、電源ユニットの放熱を効率的に行うとともに、筐体の強度を向上することのできる遊技機を提供することを目的とする。
【課題を解決するための手段】
【０００６】
本発明は、上記課題を解決するために、遊技者から見て前面が開口され、開口を開閉可能に前面扉が支持された金属製の箱体と、箱体の内部において箱体の底面と離間するとともに、箱体の側面及び裏面に固定して設置された電源用ハウジングと、電源用ハウジング内に収納され、機器への電源供給を行う電源ユニットとを備えることを特徴とする。
【０００７】
上記発明においては、箱体の下方から内方に向けて突出された平坦な面を有する突出面部が備えられており、電源用ハウジングは、その底板の一部が突出面部に当接した状態で、箱体の側面及び裏面に固定して設置されてもよい。
【０００８】
上記発明においては、電源用ハウジングには、少なくともその上面板および下面板に貫通孔が形成されてもよい。
【０００９】
上記発明においては、遊技機は、パチスロ機又はスロットマシンであってもよい。
【発明の効果】
【００１０】
本発明によれば、電源ユニットの放熱を効率的に行うとともに、筐体の強度を向上することができる。
【発明を実施するための最良の形態】
【００１１】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１２】
［第１実施形態］
図１は本発明の一形態であるパチスロ機１を示す正面図、図２は図１のパチスロ機１に設けられたリールの外周面に表される図柄列を示す説明図、図３は図１のパチスロ機１における箱体の内部構造を示す正面図、図４は図１のパチスロ機１に設けられた電源ユニット４８を示す斜視図、図５は図４の電源ユニット４８を収納する電源用ハウジング４７を示す斜視図、図６は図４の電源ユニット４８を収納する電源用ハウジング４７を図５とは異なる方向から示す斜視図、図７は電源ユニット４８の放熱動作を示す説明図である。
【００１３】
遊技機の一種であるパチスロ機（スロットマシン）１は、遊技者の前面側から見て前面が開口された本体部（箱体）Ｓ１と、この開口を開閉可能に本体部Ｓ１に取り付けられた前面扉Ｓ２とからなる筐体を有している（図３参照）。なお、ここでは本体部Ｓ１は金属製、前面扉Ｓ２は樹脂製となっているが、これらの材料に限定されるものではない。
【００１４】
このようなパチスロ機１の外観正面を示す図１において、その中央部には、可変表示部を構成する３個のリール２、３、４が回転自在に設けられ、その前面に表示窓５、６、７が設けられている。各リール２、３、４の外周面には複数種類の図柄から成る図柄列が描かれ、これら図柄は表示窓５、６、７を通して観察されるようになっている。これら表示窓５、６、７には、横３本と斜め２本の計５本の入賞ラインＬ１、Ｌ２Ａ、Ｌ２Ｂ、Ｌ３Ａ、Ｌ３Ｂが設けられている。また、表示窓５〜７の下方右側には、遊技者がメダルを入れるためのメダル投入口８が配置されている。
【００１５】
また、表示窓５〜７の左方には、上部から、４個の遊技状態表示ランプ９〜１２、３個の賭数表示ランプ１３〜１５、およびクレジット表示部１６、スタートランプ１７が設けられている。遊技状態表示ランプ９〜１２の詳細は、ビッグボーナス（以下、「ＢＢ」という。）遊技状態ランプ９、レギュラーボーナス（以下、「ＲＢ」という。）遊技状態ランプ１０、再遊技表示ランプ１１、遊技停止表示ランプ１２のことであり、ＢＢ遊技状態ランプ９はＢＢ遊技状態中に点灯、ＲＢ遊技状態ランプ１０はＲＢ遊技状態中に点灯、再遊技表示ランプ１１は再遊技（リプレイ）が発生した時に点灯、遊技停止表示ランプ１２は前回の遊技と今回の遊技の時間的間隔が所定時間未満の時やエラー発生時などに点灯するように制御され、賭数表示ランプ１３〜１５はメダル投入枚数に応じて点灯制御される。クレジット表示部１６は、２桁の７セグメントＬＥＤからなり、パチスロ機１に現在クレジットされているメダル数を表示する。スタートランプ１７は後述するスタートレバー３０の操作の受け付けが有効な時に点滅する。
【００１６】
また、表示窓５〜７の右方には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム入賞時に、ＲＢゲームおよびジャックゲームの残り入賞可能回数をデジタル表示する。ＷＩＮランプ１９はＢＢまたはＲＢに内部当選し、後述する画像表示装置２２で前記ＢＢまたはＲＢが内部当選した旨が告知された場合に点灯する。また、ＷＩＮランプ１９はＢＢまたはＲＢに入賞した場合には必ず点灯する。配当枚数表示部２０は、２桁の７セグメントＬＥＤからなリ、入賞によるメダル払い出し枚数を表示する。インサートランプ２１はメダル投入口８にメダルの投入が受付可能な時に点灯する。
【００１７】
また、表示窓５〜７の直ぐ下方には液晶などの画像表示装置２２が設けられている。この画像表示装置２２には遊技のデモンストレーシヨン画面や複数ゲームに亙る演出画像が表示される。画像表示装置２２の右方の筺体の迫り出し部分３７には、メダル投入口８が設けられている。
【００１８】
また、画像表示装置２２の左側には十字キー２３、Ａボタン２４、Ｂボタン２５、１ＢＥＴスイッチ２６、２ＢＥＴスイッチ２７、および最大ＢＥＴスイッチ２８が設けられている。十字キー２３は上下左右の４方向にスイッチ操作され、Ａボタン２４およびＢボタン２５と共に操作されて画像表示装置２２に表示する情報を選択する際に使用される。また、ＢＥＴスイッチ２６〜２８は、クレジット表示部１６にメダル数が表示されてクレジットされている際に、メダル投入口８へのメダル投入に代えて１回のゲームに１〜３枚のメダルを賭ける際に使用される。
【００１９】
また、画像表示装置２２の下方には、左から、クレジットメダル精算スイッチ２９、スタートレバー３０、および停止ボタン３１、３２、３３が設けられている。クレジットメダル精算スイッチ２９はパチスロ機１にクレジットされているメダルを精算する際に使用される。また、スタートレバー３０の操作により各リール２〜４の回転が一斉に開始する。停止ボタン３１、３２、３３は、各リール２〜４に対応して配置されており、これら各リール２〜４の回転が一定速度に達したとき操作が有効化され、遊技者の操作に応じて各リール２〜４の回転を停止する。
【００２０】
また、パチスロ機１の正面下部にはメダル受皿３４が設けられている。このメダル受皿３４はメダル払出口３５から払い出されるメダルを貯めるものである。また、パチスロ機１の正面上部には、入賞に対してどれだけのメダルが払い出されるかを示す配当表示部３６が設けられ、その左右にスピーカ８２Ｌ、８２Ｒが取り付けられている。
【００２１】
そして、停止ボタン３１〜３３とメダル受皿３４とに上下を挟まれた位置には、機種のモチーフに対応したデザインがあしらわれた腰部パネル３８が取り付けられている。
【００２２】
図２はリール２、３、４の外周面に表される図柄列を示す。各図柄列は、複数種類の図柄を２１個配列して構成される。本形態では、この図２に示すように“７”（図柄９１）、“パンチＡ”（図柄９２）、“パンチＢ”（図柄９３）、“パンチングボール”（図柄９４）、“ベル”（図柄９５）、“チェリー”（図柄９６）、“リベンジ”（図柄９７）の７種類の図柄が設定されている。各図柄には、“１”〜“２１”のコードナンバーが付され、図柄テーブルとしてＲＯＭに格納されている。各リール２、３、４は、図柄列が図の矢印方向に移動するように回転駆動される。
【００２３】
図３に示すように、筐体の一方側である本体部Ｓ１内には、内部空間を上下に区画する仕切り板４０が取り付けられている。仕切り板４０に仕切られた上部空間には、メイン制御基盤４１およびリールユニット４２が上下に配置されている。
【００２４】
ここで、メイン制御基盤４１はマイクロコンピュータを主な構成要素とし、これに乱数サンブリングのための回路を加えて構成されており、当選、非当選を決定する内部抽選、リール２、３、４の回転および停止、メダル払い出し制御などを行う。リールユニット４２には前述したリール２、３、４やこれらを回転駆動するステッピングモータなどが格納されている。
【００２５】
仕切り板４０の下側に位置する下部空間には、払い出されるメダルが収納されるホッパー４４がその略中央に設置されている。そして、ホッパー４４の右下にはホッパー４４からあふれ出したメダルが入るメダル補助収納庫４５が、下にはホッパー４４内のメダルを入賞枚数に応じてメダル払い出し口から払い出す払い出しユニット４６が、それぞれ配置されている。また、ホッパー４４の左側には、遊技不能状態からの復帰時に用いられるリセットスイッチ、ＢＢの当選確率を調整する設定スイッチなどが備えられ、メインスイッチの操作によりパチスロ機１への電源供給を行う電源ユニット４８（図４）が電源用ハウジング４７内に収納されて設置されている。
【００２６】
すなわち、図４において、電源ユニット４８は、金属製の放熱ブロック７１や所定の電子部品７２が搭載された回路基板４８ａ、およびこの回路基板４８ａが組み込まれたフレーム４８ｂで構成されており、これらはビス７０により組み付けられて電源用ハウジング４７に固定されている。放熱ブロック７１は電子部品７２が発生した熱を放出するためのもので、複数のブレード７１ａが形成されて広い表面積を確保している。この放熱ブロック７１は回路基板４８ａの一辺とほぼ同程度の幅を有している。
【００２７】
また、図３において、筐体の他方側である前面扉Ｓ２内には、最上部に、各遊技状態に応じて点滅パターンを表示する遊技状態表示基盤５０が設置されている。遊技状態表示基盤５０の下側で配当表示部３６の裏側には、配当表示部３６を照明するための冷陰極管のインバータである冷陰極管インバータ５２およびリール２〜４を照明する冷陰極管５４のインバータである冷陰極管インバータ５３が設置されている。また、冷陰極管インバータ５２、５３の左右には、前述したスピーカ８２Ｌ、８２Ｒが位置している。
【００２８】
表示窓５〜７の上側には、遊技状態表示基盤５０、冷陰極管インバータ５２、５３、スピーカ８２Ｌ、８２Ｒおよび後述するサブ制御基盤５５を中継する上部中継基盤５６が配置されている。
【００２９】
表示窓５〜７の下方には、画像表示装置２２の表示内容、リール図柄表示ランプ、リール図柄表示ＬＥＤ、遊技状態表示基盤５０、スピーカ８２Ｌ、８２Ｒによる効果音および通信の制御をするためのサブ制御基盤５５が、中央から右下にわたって配置されている。また、サブ制御基盤５５を回避するようにして、投入されたメダルがメダル受皿３４に返却されるときに通る通路である遊技メダルキャンセルシュート６３が取り付けられている。
【００３０】
ここで、図３に示すように、電源用ハウジング４７は、本体部Ｓ１の底面と離間して側面に固定されている。したがって、電源用ハウジング４７に収納された電源ユニット４８もまた、本体部Ｓ１の底面と離間して配置されている。
【００３１】
図５および図６に示すように、電源用ハウジング４７は、側面板４７ｆと、この側面板４７ｆの４辺からそれぞれ略垂直に立ち上がった前側面板４７ｂ、後側面板４７ｃ、上面板４７ｄおよび下面板４７ｅからなり、このような形状により開口が形成されている。また、上面板４７ｄ、下面板４７ｅおよび後側面板４７ｃには、遊技用のメダル径よりも小さな程度の貫通孔４７ａが複数形成されている。そして、上面板４７ｄおよび下面板４７ｅの先端には下方に折れ曲がった爪部７３が形成され、さらに上面板４７ｄの先端には上方に折れ曲がるとともにネジ孔７４ａの設けられた舌部７４が形成されている。一方、本体部Ｓ１の側面には、爪部７３に対応した係止孔１１０およびネジ孔７４ａに対応したネジ孔（図示せず）が形成されている（後述する図８参照）。これにより、開口を本体部Ｓ１の側面に当てるようにして爪部７３が係止孔に挿入されることにより、電源ユニット４８の取り付けられた電源用ハウジング４７が側面に保持される。さらに、電源用ハウジング４７のネジ孔７４ａと本体部のネジ孔とをネジ止めすることにより、電源用ハウジング４７が本体部Ｓ１の側面に固定される。なお、電源用ハウジング４７は、金属製の部材（通電性のある部材）によって形成され、電源ユニット４８と本体部Ｓ１とを電気的に接続している。
【００３２】
このような発明によれば、電源用ハウジング４７が本体部Ｓ１の底面と離間して取り付けられていることにより、電源用ハウジング４７と空気との接触面積が増えるため、電源用ハウジング４７は、電源ユニット４８で発生した熱を効率的に放出することができる。
【００３３】
そして、図示するように貫通孔４７ａが形成されていることにより、図７に示すように、電源ユニット４８、特に電源ユニット４８の放熱ブロック７１により暖められた空気が上面板４７ｄの貫通孔４７ａから上昇し、これとともに電源用ハウジング４７と本体部Ｓ１の底面との間にある冷たい空気が下面板４７ｅの貫通孔４７ａから内部に導入され、対流が発生する。したがって、電源用ハウジング４７は、この対流により電源ユニット４８の放熱を効果的に行うことが可能になる。
【００３４】
なお、前述した貫通孔４７ａは上面板４７ｄおよび下面板４７ｅに形成されていれば足り、他の箇所にはなくてもよい。
【００３５】
なお、電源ユニットが収容されている本体部（箱体）が木製の部材（通電性のない部材）によって形成されている従来の遊技機においては、過電流が電源ユニットに流入することを防止するために、通電性のある部材（以下、アース線）によって、電源ユニット（電源用ハウジング）と本体部の底面とを電気的に接続する必要（アースをとる必要）があった。
【００３６】
しかしながら、本実施形態に係る遊技機によれば、金属製の部材（通電性のある部材）によって形成された本体部Ｓ１の底面と金属製の部材（通電性のある部材）によって形成された電源用ハウジング４７とが電気的に接続され、電源用ハウジング４７と当該電源用ハウジング４７にビス７０によって取り付けられた電源ユニット４８とが電気的に接続されていることにより、電源用ハウジング４７は、アース線によって本体部Ｓ１の底面と電源ユニット４８（電源用ハウジング）とが接続されることなく、アースをとることができる。すなわち、電源用ハウジング４７は、本体部Ｓ１にアース線を配置する必要がなくなる。
【００３７】
なお、電源用ハウジング４７は、本体部Ｓ１の底面と離間して側面に固定されているが、これに限定されずに、電源用ハウジング４７は、本体部Ｓ１の底面と離間して側面のみならずに裏面にも固定されてよい。これにより、電源用ハウジング４７が本体部Ｓ１の角に固定されることにより、電源用ハウジング４７は、電源用ハウジング４７の放熱効果を高めることができるとともに、本体部Ｓ１の強度を向上させることができる場合がある。
【００３８】
なお、本体部Ｓ１が金属製で構成されている場合には、電源用ハウジング４７から放出される熱が金属製の本体部Ｓ１を通じて放出されるため、さらに放出効果が高められる。
【００３９】
［第２実施形態］
第１実施形態における電源用ハウジング４７は、本体部Ｓ１の底面と離間して側面に固定されているが、第２実施形態における電源用ハウジング４７は、変形された側面に固定されているという点で相違する。第２実施形態では、第１実施形態と異なる点についてのみ説明し、重複する点についての説明は省略する。
【００４０】
図８は、電源用ハウジング４７が固定される位置を示す図である。図８に示すように、側面には、本体部Ｓ１の側方から内方に向けて突出された平坦な面を有する絞り部１００ａが形成され、底面には、本体部Ｓ１の下方から内方に突出された平坦な面を有する絞り部１００ｂ（突出面部）が形成されている。この絞り部１００ａの平坦な面上には、爪部７３に対応した係止孔１１０が形成されている。なお、側面に加えて、上面にも絞り部が形成されてもよい。
【００４１】
図９乃至図１１は、絞り部１００ａ上に電源用ハウジング４７が固定されている様子を示す図である。図９及び図１０に示すように、電源用ハウジング４７は、本体部Ｓ１の内部において本体部Ｓ１の底面と離間するとともに、本体部Ｓ１の裏面又は絞り部１００ａの一部に固定して設置されている。なお、電源用ハウジング４７は、本体部Ｓ１の内部において本体部Ｓ１の底面と離間するとともに、絞り部１００ａの全体に固定して設置されてもよい。
【００４２】
また、電源用ハウジング４７には防止片４７ｇが形成されている。防止片４７ｇは、電源用ハウジング４７の上面板４７ｄのうち絞り部１００ａと重ならない部分に形成されており、メダルの侵入を防止するための部材である。この防止片４７ｇは、本体部Ｓ１の側面から絞り部１００ａの平坦な面までに至る形状に沿って形成されている。本実施形態における防止片４７ｇは、電源用ハウジング４７の上面板４７ｄと一体に形成されているが、これに限定されずに、当該上面板４７ｄとは別の部材で形成されてもよい。
【００４３】
図１１に示すように、電源用ハウジング４７は、その下面板４７ｅの一部が絞り部１００ｂに当接した状態で、本体部Ｓ１の側面又は裏面に固定して設置されている。なお、絞り部１００ａに形成された係止孔１１０に爪部７３が挿入されないようにして、電源用ハウジング４７は、その下面板４７ｅの一部が絞り部１００ｂに当接した状態で、ネジ孔７４ａを介してネジが嵌め込まれて螺合されることにより本体部Ｓ１の側面に固定して設置されてもよい。
【００４４】
ここで、図１０及び図１１に示すように、上面板４７ｄの先端に上方に折り曲げられた舌部７５のネジ孔７５ａにネジが嵌め込まれて螺号されることにより、電源用ハウジング４７は本体部Ｓ１の側面のみならず裏面にも固定される。
【００４５】
このような本発明によれば、電源用ハウジング４７に備えられた上面板４７ｄの一部が絞り部１００ｂに当接した状態で、本体部Ｓ１の側面及び裏面に固定して設置されているため、作業者は、電源用ハウジング４７を絞り部１００ｂに当接させながら本体部Ｓ１の側面又は裏面に迅速に固定することができる場合がある。また、本体部Ｓ１の下面板４７ｅに絞り部１００ｂが形成されていることにより、本体部Ｓ１の下部の鋼板が薄くても該下部における強度が向上するため、本体部Ｓ１は、電源用ハウジング４７が絞り部１００ｂ上に載置されたとしても、容易に歪まない構造を持つことができる場合がある。
【００４６】
また、本体部Ｓ１の側面に絞り部１００ａが形成されることにより、本体部Ｓ１の側部の鋼板が薄くても該側部の強度が向上するため、本体部Ｓ１は、電源用ハウジング４７が絞り部１００ａ上に固定されたとしても、容易に歪まない構造を持つことができる場合がある。
【００４７】
さらに、電源用ハウジング４７に備えられた上面板４７ｄのうち絞り部１００ａと重ならない部分には、メダルの侵入を防止するための防止片４７ｇが形成されていることにより、電源用ハウジング４７は、メダルが侵入することによる電源ユニット４８の破損を防止することができる場合がある。
【００４８】
また、防止片４７ｇが本体部Ｓ１の側面から突出面部の平坦な面までに至る形状に沿って形成されているため、電源用ハウジング４７と本体部Ｓ１の側面との間に隙間が生じ難くなるため、電源用ハウジング４７は、メダルが侵入することによる電源ユニット４８の破損をより防止することができる場合がある。
【００４９】
以上の説明においては、本発明を遊技機の一つであるパチスロ機１に適用した場合が説明されているが、本発明はこれに限定されるものではなく、パチンコ機、あるいはゲームセンターに設置された各種ゲーム機など、筐体内部に電源ユニットを備えた種々の遊技機に適用することが可能である。
【図面の簡単な説明】
【００５０】
【図１】本発明の一形態であるパチスロ機を示す正面図である。
【図２】パチスロ機に設けられたリールの外周面に表される図柄列を示す図である。
【図３】パチスロ機における箱体の内部構造を示す正面図である。
【図４】パチスロ機に設けられた電源ユニットを示す斜視図である。
【図５】電源ユニットを収納する電源用ハウジングを示す斜視図である（その１）。
【図６】電源ユニットを収納する電源用ハウジングを示す斜視図である（その２）。
【図７】電源ユニットの放熱動作を示す説明図である。
【図８】本体部の側面に形成された絞り部を示す図である。
【図９】電源用ハウジングが取り付けられている様子を示す図である（その１）。
【図１０】電源用ハウジングが取り付けられている様子を示す図である（その２）。
【図１１】電源用ハウジングが取り付けられている様子を示す図である（その３）。
【符号の説明】
【００５１】
１…パチスロ機、２〜４…リール、５…表示窓、８…メダル投入口、９〜１２…遊技状態表示ランプ、１３〜１５…賭数表示ランプ、１６…クレジット表示部、１７…スタートランプ、１８…ボーナスカウント表示部、１９…ＷＩＮランプ、２０…配当枚数表示部、２１…インサートランプ、２２…画像表示装置、２３…十字キー、２４…Ａボタン、２５…Ｂボタン、２６〜２８…ＢＥＴスイッチ、２７…ＢＥＴスイッチ、２８…スイッチ、２９…クレジットメダル精算スイッチ、３０…スタートレバー、３１〜３３…停止ボタン、３４…メダル受皿、３５…メダル払出口、３６…配当表示部、３８…腰部パネル、４０…板、４１…メイン制御基盤、４２…リールユニット、４４…ホッパー、４５…メダル補助収納庫、４６…ユニット、４７…電源用ハウジング、４７ａ…貫通孔、４７ｂ…前側面板、４７ｃ…後側面板、４７ｄ…上面板、４７ｅ…下面板、４７ｆ…側面板、４７ｇ…防止片、４８…電源ユニット、４８ａ…回路基板、４８ｂ…フレーム、５０…遊技状態表示基盤、５２…冷陰極管インバータ、５３…冷陰極管インバータ、５４…冷陰極管、５５…サブ制御基盤、５６…上部中継基盤、６３…遊技メダルキャンセルシュート、７０…ビス、７１…放熱ブロック、７１ａ…ブレード、７２…電子部品、７３…爪部、７４…舌部、７４ａ…ネジ孔、７５…舌部、７５ａ…ネジ孔、８２Ｌ…スピーカ、１１０…係止孔
【図１】
2005118539.tif 000003
【図２】
2005118539.tif 000004
【図３】
2005118539.tif 000005
【図４】
2005118539.tif 000006
【図５】
2005118539.tif 000007
【図６】
2005118539.tif 000008
【図７】
2005118539.tif 000009
【図８】
2005118539.tif 000010
【図９】
2005118539.tif 000011
【図１０】
2005118539.tif 000012
【図１１】
2005118539.tif 000013